【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
識別認証の方法であって：
所定の量の指紋情報を、ユーザの複数の記録された指紋から選択するステップ（１０１）と；
指紋入力プロンプト情報に基づき前記ユーザにより連続して入力された所定の量の指紋情報を受信するステップ（１０２、２０５）と；
前記受信された所定の量の指紋情報を、前記選択された所定の量の指紋情報と照合するステップ（１０３、２０６）と；
前記受信された所定の量の指紋情報が、前記選択された所定の量の指紋情報と合致すると、識別認証に成功したことを確認するステップ（１０４、２０７）と；を備える、
識別認証の方法。
【請求項２】
前記受信された所定の量の指紋情報を、前記選択された所定の量の指紋情報と照合する前記ステップは：
受信された各指紋情報を、プロンプト要求に応じて入力された指紋情報と照合するステップを備え、
前記受信された所定の量の指紋情報が前記選択された所定の量の指紋情報と合致すると、識別認証に成功したことを確認する前記ステップは：
受信された指紋情報が、前記プロンプト要求に応じて入力された前記指紋情報と合致すると、識別認証に成功したことを確認するステップを備える、
請求項１に記載の識別認証の方法。
【請求項３】
プロンプト情報が出力される度に、前記ユーザにより入力される指紋情報が所定の時間期間内に受信されたかどうかを検知するステップと；
受信されていない場合、識別認証に失敗したことを確認し、操作時間が終了したことを示すアラーム情報を出力するステップと；を更に備える、
請求項２に記載の識別認証の方法。
【請求項４】
前記受信された所定の量の指紋情報が、前記選択された所定の量の指紋情報と合致しない場合、識別認証に失敗したことを確認し、識別認証に失敗したことを示すアラーム情報を出力するステップを更に備える、
請求項１に記載の識別認証の方法。
【請求項５】
所定の量の指紋情報を、ユーザの複数の記録された指紋から選択する前記ステップの前に：
前記ユーザが現在ログインしているかどうかを検知するステップと；
ログインしていない場合、前記ユーザにアカウントを用いてログインすることをプロンプトする（促す）プロンプト情報を出力するステップと；を更に備え、
所定の量の指紋情報を、ユーザの複数の記録された指紋から選択する前記ステップは：
ログインしている場合、前記ユーザのログインアカウント情報を得るステップと；
前記アカウント情報に対応する複数の記録された指紋から所定の量の指紋情報を選択するステップと；を備える、
請求項１に記載の識別認証の方法。
【請求項６】
所定の量の指紋情報を、ユーザの複数の記録された指紋から選択する前記ステップの前に：
前記ユーザにより入力された各指紋情報と、各指紋情報に対応する指紋識別情報とを記録するステップ（２０１）と；
前記ユーザにより入力された前記指紋情報を記録するステップの工程において、現在入力された指紋情報が、記録された指紋情報中に存在するかどうかを検知するステップ（２０２）と；
存在する場合、前記現在入力された指紋情報の記録を停止し、指紋が繰り返して入力されたことを示すアラーム情報を出力するステップ（２０３）と；を更に備える、
請求項１に記載の識別認証の方法。
【請求項７】
所定の量の指紋情報を、ユーザの複数の記録された指紋から選択する前記ステップの後に：
所定の指紋認識順で又はランダムな認識順で、前記指紋情報に対応する指紋識別情報に基づきプロンプト情報を出力するステップであって、前記プロンプト情報は、前記指紋識別情報に対応する前記指紋情報を入力することをプロンプトするために使われる、前記出力するステップを更に備える、
請求項１に記載の識別認証の方法。
【請求項８】
前記指紋識別情報は、前記指紋に関連付けられた氏名又は識別（ＩＤ）番号を含む、
請求項６又は請求項７に記載の識別認証の方法。
【請求項９】
前記所定の量の指紋情報は、安全性に基づいて選択される、
請求項１〜８のいずれか１項に記載の方法。
【請求項１０】
請求項１〜９のいずれか１項に記載の方法を実行するように構成された、複数のモジュールを備える、
識別認証のデバイス。
【手続補正２】
【補正対象書類名】明細書
【補正対象項目名】０１０７
【補正方法】変更
【補正の内容】
【０１０７】
前述の説明は、本願の単なる実施であり、本願を限定することを意図するものではない。当業者にとって、本願は様々な変更を加えることができる。本願の精神及び原理から逸脱することなくなされたいかなる修正、均等物の置換、改良なども、本願の特許請求の範囲の範囲内に入るものである。
［第１の局面］
所定の量の指紋情報を、ユーザの複数の記録された指紋から選択するステップと；
指紋入力プロンプト情報に基づき前記ユーザにより連続して入力された所定の量の指紋情報を受信するステップと；
前記受信された所定の量の指紋情報を、前記選択された所定の量の指紋情報と照合するステップと；
前記受信された所定の量の指紋情報が前記選択された所定の量の指紋情報と合致すると、識別認証に成功したことを確認するステップと；を備える、
識別認証の方法。
［第２の局面］
前記受信された所定の量の指紋情報を、前記選択された所定の量の指紋情報と照合する前記ステップは：
受信された各指紋情報を、プロンプト要求に応じて入力された指紋情報と照合するステップを備え、
前記受信された所定の量の指紋情報が前記選択された所定の量の指紋情報と合致すると、識別認証に成功したことを確認する前記ステップは：
受信された指紋情報が前記プロンプト要求に応じて入力された前記指紋情報と合致すると、識別認証に成功したことを確認するステップを備える、
第１の局面に記載の識別認証の方法。
［第３の局面］
プロンプト情報が出力される度に、前記ユーザにより入力される指紋情報が所定の時間期間内に受信されたかどうかを検知するステップと；
受信されていない場合、識別認証に失敗したことを確認し、操作時間が終了したことを示すアラーム情報を出力するステップと；を更に備える、
第２の局面に記載の識別認証の方法。
［第４の局面］
前記受信された所定の量の指紋情報が、前記選択された所定の量の指紋情報と合致しない場合、識別認証に失敗したことを確認し、識別認証に失敗したことを示すアラーム情報を出力するステップを更に備える、
第１の局面に記載の識別認証の方法。
［第５の局面］
所定の量の指紋情報を、ユーザの複数の記録された指紋から選択する前記ステップの前に：
前記ユーザが現在ログインしているかどうかを検知するステップと；
ログインしていない場合、前記ユーザにアカウントを用いてログインすることをプロンプトする（促す）プロンプト情報を出力するステップと；を更に備え、
所定の量の指紋情報を、ユーザの複数の記録された指紋から選択する前記ステップは：
ログインしている場合、前記ユーザのログインアカウント情報を得るステップと；
前記アカウント情報に対応する複数の記録された指紋から所定の量の指紋情報を選択するステップと；を備える、
第１の局面に記載の識別認証の方法。
［第６の局面］
所定の量の指紋情報を、ユーザの複数の記録された指紋から選択する前記ステップの前に：
前記ユーザにより入力された各指紋情報と、各指紋情報に対応する指紋識別情報とを記録するステップと；
前記ユーザにより入力された前記指紋情報を記録する工程において、現在入力された指紋情報が、記録された指紋情報中に存在するかどうかを検知するステップと；
存在する場合、前記現在入力された指紋情報の記録を停止し、指紋が繰り返して入力されたことを示すアラーム情報を出力するステップと；を更に備える、
第１の局面に記載の識別認証の方法。
［第７の局面］
所定の量の指紋情報を、ユーザの複数の記録された指紋から選択する前記ステップの後に：
所定の指紋認識順で又はランダムな認識順で、前記指紋情報に対応する指紋識別情報に基づきプロンプト情報を出力するステップであって、前記プロンプト情報は、前記指紋識別情報に対応する前記指紋情報を入力することをプロンプトするために使われる、前記出力するステップを更に備える、
第１の局面に記載の識別認証の方法。
［第８の局面］
所定の量の指紋情報を、ユーザの複数の記録された指紋から選択するよう構成された選択ユニットと；
指紋入力プロンプト情報に基づき前記ユーザにより連続して入力された所定の量の指紋情報を受信するよう構成された受信ユニットと；
前記受信された所定の量の指紋情報を、前記選択された所定の量の指紋情報と照合するよう構成された照合ユニットと；
前記受信された所定の量の指紋情報が前記選択された所定の量の指紋情報と合致すると、識別認証に成功したことを確認するよう構成された確認ユニットと；を備える、
識別認証のデバイス。
［第９の局面］
前記照合ユニットは、受信された各指紋情報を、プロンプト要求に応じて入力された指紋情報と照合するよう構成され；
前記確認ユニットは、受信された指紋情報が、前記プロンプト要求に応じて入力された前記指紋情報と合致すると、識別認証に成功したことを確認するよう構成された、
第８の局面に記載の識別認証のデバイス。
［第１０の局面］
検知ユニットと出力ユニットとを更に備え；
前記検知ユニットは、プロンプト情報が出力される度に、前記ユーザにより入力される指紋情報が所定の時間期間内に受信されたかどうかを検知するよう構成され；
前記確認ユニットは、前記検知ユニットが、前記ユーザにより入力される前記指紋情報は前記所定の時間期間期間内に受信されていないことを検知すると、識別認証に失敗したことを確認するよう構成され；
前記出力ユニットは、操作時間が終了したことを示すアラーム情報を出力するよう構成された；
第９の局面に記載の識別認証のデバイス。
［第１１の局面］
出力ユニットを更に備え；
前記確認ユニットは、前記受信された所定の量の指紋情報が前記選択された所定の量の指紋情報と合致しないと、識別認証に失敗したことを確認するよう構成され；
前記出力ユニットは、識別認証に失敗したことを示すアラーム情報を出力するよう構成された、
第８の局面に記載の識別認証のデバイス。
［第１２の局面］
検知ユニットと出力ユニットとを更に備え；
前記検知ユニットは、前記ユーザが現在ログインしているかどうかを検知するよう構成され；
前記出力ユニットは、前記ユーザが現在ログインしていないことを前記検知ユニットが検知すると、前記ユーザにアカウントを用いてログインすることをプロンプトするプロンプト情報を出力するよう構成され、
前記選択ユニットは：
前記ユーザが現在ログインしていることが検知されると、前記ユーザのログインアカウント情報を得るよう構成された獲得モジュールと；
所定の量の指紋情報を、前記獲得モジュールにより得られた前記アカウント情報に対応する複数の記録された指紋から選択するよう構成された選択モジュールと；を備える、
第８の局面に記載の識別認証のデバイス。
［第１３の局面］
記録ユニットと検知ユニットと出力ユニットとを更に備え、
前記記録ユニットは、前記ユーザにより入力された各々の指紋情報と、各々の指紋情報に対応する指紋識別情報とを記録するように構成され、
前記検知ユニットは、前記ユーザにより入力された前記指紋情報を記録する工程において、現在入力された指紋情報が記録された指紋情報に存在するかどうかを検知するように構成され、
前記記録ユニットは、前記検知ユニットが現在入力された指紋情報が前記記録された指紋情報に存在すると検知した際に前記現在入力された指紋情報の記録を停止するように構成され、
前記出力ユニットは、指紋が繰り返して入力されたことを示すアラーム情報を出力するように構成された、
第８の局面に記載の識別認証のデバイス。
［第１４の局面］
所定の指紋認識順で又はランダムな認識順で、前記指紋情報に対応する指紋識別情報に基づきプロンプト情報を出力するよう構成された出力ユニットであって、前記プロンプト情報が前記指紋識別情報に対応する前記指紋情報の入力をプロンプトするように使用される、前記出力ユニットを更に備える、
第８の局面に記載の識別認証のデバイス。